(57)【要約】【課題】  従来は、フロート弁に比重が大きな錘を装着して洗浄水の流出量を減少させていたので、レバー操作を解除すると直ちにフロート弁が閉じてしまい、レバー操作が煩雑であった。また、フロート弁が閉じる際には、大きな衝撃音が発生する場合がある。【解決手段】  ロータンク１のフロート弁３に装着して、洗浄時にロータンク３から流出する洗浄水量を減少させるロータンク用節水具１０であって、フロート弁３の上部に装着され、比重が１〜２の範囲内にある部材で構成される。【選択図】  図１
2005194711.tif 000002
【特許請求の範囲】
【請求項１】
ロータンクのフロート弁に装着して、洗浄時にロータンクから流出する洗浄水量を減少させるロータンク用節水具であって、フロート弁の上部に装着され、比重が１〜２の範囲内にある部材で構成されることを特徴とするロータンク用節水具。
【請求項２】
前記節水具における水面から露出している部分の、節水具全体に対する割合が一定割合以上になると、節水具により、フロート弁が閉じる方向へ移動するだけの力が、該フロート弁に加えられることを特徴とする請求項１に記載のロータンク用節水具。
【請求項３】
前記節水具は、水平方向の寸法よりも上下方向の寸法の方が大きく形成されることを特徴とする請求項１または請求項２に記載のロータンク用節水具。
【請求項４】
前記節水具には上下方向へ貫通孔が形成され、フロート弁と操作レバーとを連結するチェーンを貫通孔に挿通することで、節水具がフロート弁の上部に装着されることを特徴とする請求項１〜請求項３の何れかに記載のロータンク用節水具。
【発明の詳細な説明】
【技術分野】
【０００１】
本発明は、ロータンクのフロート弁に装着して、洗浄時にロータンクから流出する洗浄水量を減少させるロータンク用節水具に関する。
【背景技術】
【０００２】
一般的に、ロータンクは底部にフロート弁を設けており、レバーを操作して、フロート弁を引き上げて開けると、ロータンク内の洗浄水が便器に向かって流出するように構成されている。
この場合、フロート弁が開いた後、フロート弁は浮き上がって開いたままの状態を維持するが、ロータンク内の洗浄水が流出して、水位がフロート弁の上部付近まで下がってくると、それ以降は低下する水面とともにフロート弁が下降し、ついには流出する洗浄水に引き込まれてフロート弁が閉じる。
【０００３】
このようにフロート弁が閉じたときには、ロータンク内の洗浄水の水位は閉じた状態のフロート弁の高さ位置と略同じであって、洗浄水の殆どが流出した状態となっており、洗浄に必要ではない余分な洗浄水までが流出されてしまっていた。
そこで、特許文献１に示すように、フロート弁に錘部材を装着してフロート弁の浮きを抑え、ロータンクから流出する洗浄水量を減少させることが行われている。つまり、フロート弁が開いてロータンク内の洗浄水が流出している状態では、水位がフロート弁の上部付近まで下がってくる前に、錘の重量によりフロート弁が閉じて洗浄水の流出が止まるように構成している。
【０００４】
【特許文献１】実公平１−３１６５２号公報
【発明の開示】
【発明が解決しようとする課題】
【０００５】
しかし、特許文献１に示されているようなフロート弁に装着する錘は、金属部材等の比重が大きな部材で構成されているため、錘の重量により、レバー操作の解除後早くにフロート弁が閉じてしまう。
従って、レバー操作を早く解除しすぎると、まだロータンク内に多くの洗浄水が残っている状態でフロート弁が閉じてしまって洗浄水の流出量が足りなくなり、レバー操作の解除が遅れると余分な洗浄水が流出して錘の効果を発揮することができないため、一度のレバー操作で適切な量の洗浄水を流出させることは容易でなく、レバー操作が煩雑であった。また、フロート弁が閉じる際には、錘の重量のために急激に閉じることとなるため、大きな衝撃音が発生する場合がある。
【課題を解決するための手段】
【０００６】
上記課題を解決するロータンク用節水具は、以下の特徴を有する。
すなわち、請求項１においては、ロータンクのフロート弁に装着して、洗浄時にロータンクから流出する洗浄水量を減少させるロータンク用節水具であって、フロート弁の上部に装着され、比重が１〜２の範囲内にある部材で構成される。
これにより、レバーを操作してフロート弁を一旦開けると、その後はレバー操作を一切しなくても、節水具の錘としての作用が自動的に変化して、洗浄水が所定の残量になるとフロート弁が閉じるので、容易かつ簡便な操作で、余分な洗浄水の流出を抑えるロータンク内の残水量を確保することができ、節水が可能となる。
【０００７】
また、請求項２においては、前記節水具における水面から露出している部分の、節水具全体に対する割合が一定割合以上になると、節水具により、フロート弁が閉じる方向へ移動するだけの力が、該フロート弁に加えられる。
これにより、錘としての作用が変化する水位は常に一定であるので、常に一定の水位で節水具の錘としての作用が発揮され、余分な洗浄水の流出を安定的に抑えて、確実に節水することが可能となる。
さらに、フロート弁は、水位の低下に伴って徐々に閉じるので、フロート弁が閉じることによる衝撃音の発生を防止することができる。
【０００８】
また、請求項３においては、前記節水具は、水平方向の寸法よりも上下方向の寸法の方が大きく形成される。
これにより、高い水位で節水具が錘として作用し始めるので、洗浄水の残量を多くするのに有効となる。
【０００９】
また、請求項４においては、前記節水具には上下方向へ貫通孔が形成され、フロート弁と操作レバーとを連結するチェーンを貫通孔に挿通することで、節水具がフロート弁の上部に装着される。
これにより、節水具の装着や交換等の作業が容易となる。
【発明の効果】
【００１０】
本発明によれば、容易かつ簡便な操作で、余分な洗浄水の流出を抑えるロータンク内の残水量を安定的に確保することができ、確実に節水が可能となる。
また、フロート弁が閉じることによる衝撃音の発生を防止することができる。
さらに、洗浄水の残量を多く調整することができるとともに、節水具の装着や交換等の作業が容易となる。
【発明を実施するための最良の形態】
【００１１】
次に、本発明にかかるロータンク用節水具を実施するための最良の形態を、添付の図面を用いて説明する。
【００１２】
図１には、便器２を洗浄するための水を貯溜するロータンク１を示している。
ロータンク１内の底部には、ロータンク１内の洗浄水が便器２へ流出する流出口４が設けられており、該流出口４は、レバー５を操作しない状態では、上端に形成される弁座４ａにフロート弁３が着座して閉じられている。
レバー５とフロート弁３とはチェーン６で連結されており、レバー５を操作すると、フロート弁３がチェーン６により上方へ引き上げられて弁座４ａから離れ、流出口４が開口して洗浄水が便器２へ流出するように構成されている。
【００１３】
そして、ロータンク１内の洗浄水が流出により減少すると、水位の低下に伴って浮き玉８が下がって、ボールタップ弁９が開いてロータンク１内に水が供給され、水の供給により水位が上昇するとボールタップ弁９が閉じるように構成されている。
【００１４】
このように構成されるロータンク１のフロート弁３の上部には、節水具１０が装着されている。
図２、図３に示すように、節水具１０は、例えば、略円柱形状に形成され、その上部は上方へいくに従って小径となるテーパー形状となっている。節水具１０には、上下方向に貫通する貫通孔１０ａが形成されている。貫通孔１０ａの下端部には、下方へいくに従って孔径が大きくなるテーパー形状の着座部１０ｂが形成されている。
【００１５】
図４に示すように、前述のように構成される節水具１０は、フロート弁３とレバー５とを連結するチェーン６を貫通孔１０ａに挿通し、着座部１０ｂをフロート弁３の上部に着座させることで、フロート弁３に装着されている。
このように、チェーン６を貫通孔１０ａに挿通することで、節水具１０をフロート弁３に装着可能としているので、節水具１０の装着や交換等の作業が容易となっている。
【００１６】
また、節水具１０は、比重が水と略同等か、もしくは若干水より大きい部材、例えばＡＢＳ樹脂等の樹脂部材により構成されている。具体的には、節水具１０の比重は１〜２程度に構成され、好ましくは１．０４〜１．３程度の比重に構成され、さらに好ましくは１．２〜１．３程度の比重に構成されている。
【００１７】
このように構成されたフロート弁３を装着するロータンク１における、フロート弁３の作用について説明する。
図５には、レバー５の操作がされておらず、貯溜している洗浄水が略満水状態であるロータンク１を示している。この状態では、フロート弁３は、貯溜洗浄水の水圧により弁座４ａに押し付けられて閉じており（止水状態）、節水具１０は全体が水中に入っている。
【００１８】
この状態から、図６に示すように、レバー５を操作して、フロート弁３を引っ張り上げ上方回動させて開く。フロート弁３が開いて流出口４が開口すると流出口４から便器２へ洗浄水が流出する。
【００１９】
ここで、フロート弁３は、ゴム部材等を中空の略球形状に形成して、水中では浮力により浮き上がるように構成されている。
また、節水具１０は比重が水と略同等か若干大きく構成されているため、全体が水中に入った状態では、浮き上がることはないが、浮力により見かけの重さも殆どない状態となっている。
従って、図６の状態では、節水具１０が装着されたフロート弁３には、節水具１０からの重量は殆どかかっておらず、レバー５の操作により上方回動されたフロート弁３は、開いた状態を維持する。
【００２０】
フロート弁３が開いた状態を維持している間は、流出口４から洗浄水が流出し続け、ロータンク１内の水位は低下していくが、水位が低下していくと、図７に示すように、節水具１０の上部が次第に水面より上に露出してくる。
節水具１０の水中に位置している水中部分Ｌは見かけの重さが殆どないが、水面から露出している露出部分Ｕには浮力が働かないため、露出部分Ｕの重量がそのままフロート弁３にかかることになる。
【００２１】
従って、図８に示すように、水位の低下に伴い節水具１０の露出部分Ｕの割合が増えてきて、フロート弁３に働く浮力と、露出部分Ｕの重量による下向きの力とが釣り合うと、その後は、節水具１０およびフロート弁３が水位の低下に伴って徐々に下方へ移動する。この場合、節水具１０全体に閉める露出部分Ｕの割合は略一定に保持される。
【００２２】
図９に示すように、水位の低下に伴ってフロート弁３が下方回動していくと、ついには、フロート弁３が弁座４ａに着座して閉じ、洗浄水の流出口４からの流出が止まる。
フロート弁３が閉じたときの、ロータンク１内の洗浄水の水位は、閉じた状態のフロート弁３の高さに節水具１０の水中部分Ｌの高さを加えた位置と略同じであり、相当量の洗浄水がロータンク１内に残溜している。
【００２３】
つまり、節水具１０は、比重が水と略同じまたは若干大きいので、ロータンク１内の洗浄水の残量が多くて、略全体が水中にあるときには殆ど錘として働かず、洗浄水の残量がある程度減少してきて、露出部分Ｕの割合が多くなってくると、フロート弁３に対して該フロート弁３が閉じる方向へ移動するだけの力を加える錘として働く。
そして、節水具１０が錘として作用するか、作用しないかは、洗浄水の水位に応じて自動的に変化するものであり、錘としての作用が変化する水位は常に一定である。
【００２４】
このように、レバー５を操作してフロート弁３を一旦開けると、その後はレバー５の操作を一切しなくても、節水具１０の錘としての作用が自動的に変化して、洗浄水が所定の残量になるとフロート弁３が閉じるので、容易かつ簡便な操作で、余分な洗浄水の流出を抑えるロータンク１内の残水量を確保することができ、節水が可能となる。
また、錘としての作用が変化する水位は常に一定であるので、常に一定の水位で節水具１０の錘としての作用が発揮され、余分な洗浄水の流出を安定的に抑えて、確実に節水することが可能となる。
さらに、フロート弁３は、水位の低下に伴って徐々に閉じるので、フロート弁３が閉じることによる衝撃音の発生を防止することができる。
【００２５】
また、節水具１０が錘として作用し始める水位は、節水具１０の形状によって変化するため、流出する洗浄水の必要量や節水したい洗浄水量に応じて、節水具１０の形状を適宜選択することができる。
例えば、節水したい洗浄水量を多めに設定したいときには、節水具１０を水平方向の寸法（幅寸法）ｄよりも上下方向の寸法（高さ寸法）ｈ（図２参照）が大きくなるような形状に形成すれば、高い水位で節水具１０が錘として作用し始めるので、洗浄水の残量を多くするのに有効である。
【図面の簡単な説明】
【００２６】
【図１】本発明の節水具を備えたロータンクを示す正面断面図である。
【図２】節水具を示す正面断面図である。
【図３】節水具を示す平面図である。
【図４】フロート弁の上部に装着した状態の節水具を示す正面断面図である。
【図５】略満水状態にあってフロート弁が閉じた状態のロータンクを示す正面断面図である。
【図６】略満水の状態でフロート弁を開いたロータンクを示す正面断面図である。
【図７】洗浄水の水位が低下して、節水具の上部が水面から露出した状態のロータンクを示す正面断面図である。
【図８】フロート弁に働く浮力と、節水具の露出部分の重量による下向きの力とが釣り合って、フロート弁が水位の低下に伴って徐々に下方へ移動している状態のロータンクを示す正面断面図である。
【図９】フロート弁が水位の低下に伴って徐々に下方へ移動し、閉じた状態のロータンクを示す正面断面図である。
【符号の説明】
【００２７】
１  ロータンク
２  便器
３  フロート弁
５  レバー
１０  節水具
【図１】
2005194711.tif 000003
【図２】
2005194711.tif 000004
【図３】
2005194711.tif 000005
【図４】
2005194711.tif 000006
【図５】
2005194711.tif 000007
【図６】
2005194711.tif 000008
【図７】
2005194711.tif 000009
【図８】
2005194711.tif 000010
【図９】
2005194711.tif 000011